(57)【特許請求の範囲】
【請求項１】
構内交換装置と、複数のＰＨＳ基地局とがイーサネットＬＡＮを介して接続されたシステムであって、
前記構内交換装置は、該構内交換装置の保守コンソールから入力される、所定のタイミングで無線電波を出力している自営用ＰＨＳ基地局を識別するための発識別符号を、前記複数のＰＨＳ基地局内の任意の一台に通知し、
前記構内交換装置からの通知を受けたＰＨＳ基地局は、指定された前記自営用ＰＨＳ基地局から出力される制御信号を、前記発識別符号により検出し、受信した制御信号を基に同期信号を生成してＰＨＳ基地局グループの基準局として動作し、
前記構内交換装置からの通知を受けた前記ＰＨＳ基地局以外のＰＨＳ基地局は、同期信号を生成し前記基準局として動作する前記ＰＨＳ基地局からの制御信号を検出し、受信した制御信号を基に同期信号を生成して、前記イーサネットＬＡＮに接続されたＰＨＳ基地局間で同期を取ってＰＨＳ移動端末との通信を行うとともに、
前記構内交換装置と前記ＰＨＳ基地局との間のデータ送受信において、送信側は、呼接続の際に設定された初期値に呼接続からの経過時間を計時した値を加算した加算値を、データの送信タイミングを示す値として送信フレームに含めて相手側に送信し、
前記データの受信側は、前記イーサネットＬＡＮを介して受信した前記加算値と、前記初期値に前記呼接続から前記データを受信するまでの経過時間を計時した値を加算した加算値とを比較することで、前記イーサネットＬＡＮにおけるデータ遅延を判定することを特徴とするＰＨＳ基地局間同期システム。
【請求項２】
前記構内交換装置からの通知を受けたＰＨＳ基地局は、
前記構内交換装置により指定された前記自営用ＰＨＳ基地局からの制御信号を検出することができなかった場合には、公衆ＰＨＳ基地局、または前記構内交換装置とは異なる他の構内交換装置に接続された自営用ＰＨＳ基地局からの制御信号を検出し、受信した制御信号を基に同期信号を生成してＰＨＳ移動端末との通信を行うことを特徴とする請求項１記載のＰＨＳ基地局間同期システム。
【請求項３】
前記構内交換装置からの通知を受けたＰＨＳ基地局は、
前記構内交換装置により指定された前記自営用ＰＨＳ基地局からの制御信号を検出することができなかった場合には、前記構内交換装置とは異なる他の構内交換装置に接続された自営用ＰＨＳ基地局からの制御信号を検出し、受信した制御信号を基に同期信号を生成してＰＨＳ移動端末との通信を行い、
前記構内交換装置とは異なる他の交換装置に接続された自営用ＰＨＳ基地局からの制御信号を検出することができなかった場合には、公衆ＰＨＳ基地局からの制御信号を検出し、受信した制御信号を基に同期信号を生成してＰＨＳ移動端末との通信を行うことを特徴とする請求項１記載のＰＨＳ基地局間同期システム。
【請求項４】
前記構内交換装置からの通知を受けたＰＨＳ基地局は、
前記公衆ＰＨＳ基地局、または前記構内交換装置とは異なる他の構内交換装置に接続された前記自営用ＰＨＳ基地局からの制御信号を検出することができなかった場合に、独自にクロック信号を生成してＰＨＳ移動端末との通信を行うことを特徴とする請求項２記載のＰＨＳ基地局間同期システム。
【請求項５】
前記構内交換装置からの通知を受けたＰＨＳ基地局は、
前記公衆ＰＨＳ基地局からの制御信号を検出することができなかった場合に、独自にクロック信号を生成してＰＨＳ移動端末との通信を行うことを特徴とする請求項３記載のＰＨＳ基地局間同期システム。
【請求項６】
前記イーサネットＬＡＮにおいてデータ遅延が発生していると判断した場合に、ＰＨＳのデータ通信プロトコルであるＰＩＡＦＳの再同期手順を起動することを特徴とする請求項１から５の何れか１項に記載のＰＨＳ基地局間同期システム。
【請求項７】
構内交換装置と、複数のＰＨＳ基地局とがイーサネットＬＡＮを介して接続されたシステムでのＰＨＳ基地局間同期方法であって、
前記構内交換装置において、該構内交換装置の保守コンソールから所定のタイミングで無線電波を出力している自営用ＰＨＳ基地局を識別するための発識別符号を入力し、該入力された発識別符号を前記複数のＰＨＳ基地局内の任意の一台に通知し、
前記構内交換装置からの通知を受けたＰＨＳ基地局において、指定された前記自営用ＰＨＳ基地局から出力される制御信号を、前記発識別符号により検出し、受信した制御信号を基に同期信号を生成してＰＨＳ基地局グループの基準局として動作し、
前記構内交換装置からの通知を受けた前記ＰＨＳ基地局以外のＰＨＳ基地局において、同期信号を生成し前記基準局として動作する前記ＰＨＳ基地局からの制御信号を検出し、受信した制御信号を基に同期信号を生成して、前記イーサネットＬＡＮに接続されたＰＨＳ基地局間で同期を取ってＰＨＳ移動端末との通信を行うとともに、
前記構内交換装置と前記ＰＨＳ基地局との間のデータ送受信において、送信側は、呼接続の際に設定された初期値に呼接続からの経過時間を計時した値を加算した加算値を、データの送信タイミングを示す値として送信フレームに含めて相手側に送信し、
前記データの受信側は、前記イーサネットＬＡＮを介して受信した前記加算値と、前記初期値に前記呼接続から前記データを受信するまでの経過時間を計時した値を加算した加算値とを比較することで、前記イーサネットＬＡＮにおけるデータ遅延を判定することを特徴とするＰＨＳ基地局間同期方法。
【請求項８】
前記構内交換装置からの通知を受けたＰＨＳ基地局において、前記構内交換装置により指定された前記自営用ＰＨＳ基地局からの制御信号を検出することができなかった場合には、公衆ＰＨＳ基地局、または前記構内交換装置とは異なる他の構内交換装置に接続された自営用ＰＨＳ基地局からの制御信号を検出し、受信した制御信号を基に同期信号を生成してＰＨＳ移動端末との通信を行うことを特徴とする請求項７記載のＰＨＳ基地局間同期方法。
【請求項９】
前記構内交換装置からの通知を受けたＰＨＳ基地局において、前記構内交換装置により指定された前記自営用ＰＨＳ基地局からの制御信号を検出することができなかった場合には、前記構内交換装置とは異なる他の構内交換装置に接続された自営用ＰＨＳ基地局からの制御信号を検出し、受信した制御信号を基に同期信号を生成してＰＨＳ移動端末との通信を行い、
前記構内交換装置とは異なる他の交換装置に接続された自営用ＰＨＳ基地局からの制御信号を検出することができなかった場合には、公衆ＰＨＳ基地局からの制御信号を検出し、受信した制御信号を基に同期信号を生成してＰＨＳ移動端末との通信を行うことを特徴とする請求項７記載のＰＨＳ基地局間同期方法。
【請求項１０】
前記構内交換装置からの通知を受けたＰＨＳ基地局において、前記公衆ＰＨＳ基地局、または前記構内交換装置とは異なる他の構内交換装置に接続された前記自営用ＰＨＳ基地局からの制御信号を検出することができなかった場合に、独自にクロック信号を生成してＰＨＳ移動端末との通信を行うことを特徴とする請求項８記載のＰＨＳ基地局間同期方法。
【請求項１１】
前記構内交換装置からの通知を受けたＰＨＳ基地局において、前記公衆ＰＨＳ基地局からの制御信号を検出することができなかった場合に、独自にクロック信号を生成してＰＨＳ移動端末との通信を行うことを特徴とする請求項９記載のＰＨＳ基地局間同期方法。
【請求項１２】
前記イーサネットＬＡＮにおいてデータ遅延が発生していると判断した場合に、ＰＨＳのデータ通信プロトコルであるＰＩＡＦＳの再同期手順を起動することを特徴とする請求項７から１１の何れか１項に記載のＰＨＳ基地局間同期方法。
【請求項１３】
構内交換装置と、複数のＰＨＳ基地局とがイーサネットＬＡＮを介して接続されたシステムでのＰＨＳ基地局間同期プログラムであって、
前記構内交換装置において、該構内交換装置の保守コンソールから所定のタイミングで無線電波を出力している自営用ＰＨＳ基地局を識別するための発識別符号を入力し、該入力された発識別符号を前記複数のＰＨＳ基地局内の任意の一台に通知する処理を実行し、
前記構内交換装置からの通知を受けたＰＨＳ基地局において、指定された前記自営用ＰＨＳ基地局から出力される制御信号を、前記発識別符号により検出し、受信した制御信号を基に同期信号を生成してＰＨＳ基地局グループの基準局として動作させる処理を実行し、
前記構内交換装置からの通知を受けた前記ＰＨＳ基地局以外のＰＨＳ基地局において、同期信号を生成し前記基準局として動作する前記ＰＨＳ基地局からの制御信号を検出し、受信した制御信号を基に同期信号を生成して、前記イーサネットＬＡＮに接続されたＰＨＳ基地局間で同期を取ってＰＨＳ移動端末との通信を行う処理を実行するとともに、
前記構内交換装置と前記ＰＨＳ基地局との間のデータ送信において、送信側は、呼接続の際に設定された初期値に呼接続からの経過時間を計時した値を加算した加算値を、データの送信タイミングを示す値として送信フレームに含めて相手側に送信する処理を実行し、
前記データの受信側は、前記イーサネットＬＡＮを介して受信した前記加算値と、前記初期値に前記呼接続から前記データを受信するまでの経過時間を計時した値を加算した加算値とを比較することで、前記イーサネットＬＡＮにおけるデータ遅延を判定する処理を実行することを特徴とするＰＨＳ基地局間同期プログラム。
【請求項１４】
前記構内交換装置からの通知を受けたＰＨＳ基地局において、前記構内交換装置により指定された前記自営用ＰＨＳ基地局からの制御信号を検出することができなかった場合には、公衆ＰＨＳ基地局、または前記構内交換装置とは異なる他の構内交換装置に接続された自営用ＰＨＳ基地局からの制御信号を検出し、受信した制御信号を基に同期信号を生成してＰＨＳ移動端末との通信を行う処理を実行することを特徴とする請求項１３記載のＰＨＳ基地局間同期プログラム。
【請求項１５】
前記構内交換装置からの通知を受けたＰＨＳ基地局において、前記構内交換装置により指定された前記自営用ＰＨＳ基地局からの制御信号を検出することができなかった場合には、前記構内交換装置とは異なる他の構内交換装置に接続された自営用ＰＨＳ基地局からの制御信号を検出し、受信した制御信号を基に同期信号を生成してＰＨＳ移動端末との通信を行う処理を実行し、
前記構内交換装置とは異なる他の交換装置に接続された自営用ＰＨＳ基地局からの制御信号を検出することができなかった場合には、公衆ＰＨＳ基地局からの制御信号を検出し、受信した制御信号を基に同期信号を生成してＰＨＳ移動端末との通信を行う処理を実行することを特徴とする請求項１３記載のＰＨＳ基地局間同期プログラム。
【請求項１６】
前記構内交換装置からの通知を受けたＰＨＳ基地局において、前記公衆ＰＨＳ基地局、または前記構内交換装置とは異なる他の構内交換装置に接続された前記自営用ＰＨＳ基地局からの制御信号を検出することができなかった場合に、独自にクロック信号を生成してＰＨＳ移動端末との通信を行う処理を実行することを特徴とする請求項１４記載のＰＨＳ基地局間同期プログラム。
【請求項１７】
前記構内交換装置からの通知を受けたＰＨＳ基地局において、前記公衆ＰＨＳ基地局からの制御信号を検出することができなかった場合に、独自にクロック信号を生成してＰＨＳ移動端末との通信を行う処理を実行することを特徴とする請求項１５記載のＰＨＳ基地局間同期プログラム。
【請求項１８】
前記イーサネットＬＡＮにおいてデータ遅延が発生していると判断した場合に、ＰＨＳのデータ通信プロトコルであるＰＩＡＦＳの再同期手順を起動する処理を実行することを特徴とする請求項１３から１７の何れか１項に記載のＰＨＳ基地局間同期プログラム。
【発明の詳細な説明】
【０００１】
【発明の属する技術分野】
本発明は、構内交換装置（以下、ＰＢＸという）とＰＨＳ基地局とがイーサネトＬＡＮ（登録商標）に接続されたシステムに関する。
【０００２】
【従来の技術】
ＰＨＳ（Ｐｅｒｓｏｎａｌ  Ｈａｎｄｙ−ｐｈｏｎｅ  Ｓｙｓｔｅｍ）においては、伝送方式として、４チャネル多重マルチキャリアＴＤＭＡ（Ｔｉｍｅ  Ｄｉｖｉｓｉｏｎ  Ｍｕｌｔｉｐｌｅ  Ａｃｃｅｓｓ）／ＴＤＤ（Ｔｉｍｅ  Ｄｉｖｉｓｉｏｎ  Ａｃｃｅｓｓ）方式が採用されている。ＴＤＭＡ／ＴＤＤ方式は、無線周波数を時間分割し、通話者に特定の時間帯（タイムスロット）を割り当て、その割り当てられたスロットで通信を行う方式である。
【０００３】
複数の基地局を設けて、各基地局が移動局との間でＴＤＭＡにより送受信を行うＰＨＳ等の移動体通信システムにおいては、各基地局の送受信信号のフレーム同期がとれていないと、隣接する基地局からの送受信信号により、連続する複数のタイムスロットが干渉を受ける。このため、そのタイミングの無線チャネルを使用することができなくなり、電波の有効利用を図ることができない。
【０００４】
このような不具合を解決するための技術が特開平１１−２０５８４９号公報の“基地局間同期タイミング確立方法及びＴＤＭＡシステム”、及び特開平１０−１４５８４８号公報の“ＴＤＭＡ移動体通信の基地局間フレーム同期方法”に開示されている。以下、これらの公報に開示された技術について説明する。
【０００５】
特開平１１−２０５８４９号公報の“基地局間同期タイミング確立方法及びＴＤＭＡシステム”には、（ａ）各基地局間の距離データを求めるステップ、（ｂ）求めた各基地局間の距離データを所定の装置に登録するステップ、（ｃ）上記所定の装置から各基地局に上記距離データを送信するステップ、（ｄ）第１の基地局から第２の基地局に上記距離データを送信するステップ、（ｅ）第２の基地局において、上記距離データを基に第１の基地局と第２の基地局との間のデータ遅延時間を算出するステップ、（ｆ）第２の基地局において、算出した遅延時間を基に適切な送信タイミングを算出するステップとを具備した基地局間同期化タイミング確立方法が開示されている。
【０００６】
特開平１０−１４５８４８号公報の“ＴＤＭＡ移動体通信の基地局間フレーム同期方法”には、フレーム同期の対象となる基地局群において、所定の基地局を最上位層である基準局として階層関係が予め定められており、各基地局は、その一つ上の階層の基地局を定期監視先基地局とし、予め定められた定期監視周期毎に、定期監視先基地局のフレームタイミングと自局のフレームタイミングとを比較してフレーム同期処理が必要か否かを判定し、フレーム同期処理が必要と判定した場合には、定期監視先基地局のフレームタイミングに自局のフレームタイミングを合わせるフレーム同期処理を行うＴＤＭＡ移動体通信の基地局間フレーム同期方法であって、高い階層の基地局ほど、定期監視周期が短く設定されたＴＤＭＡ移動体通信の基地局間フレーム同期方法が開示されている。
【０００７】
また、インターネット上に基地局を配置するシステムの一例が、特開２００２−３３６９７号公報に開示されている。この公報に開示された技術は、複数の無線基地局間を結ぶ回線と、無線基地局と移動端末とを結ぶ回線とを有するネットワークを用いたデータ伝送システムにおいて、無線基地局エリア内の移動端末から、無線基地局を通して第１のデータを通信する際、当該移動端末は、データの多重を表す識別子を当該送信する第１のデータに付加して当該無線基地局に送信し、当該移動端末から当該無線基地局を通して、他の端末に対して、第２のデータを送信する際、当該移動端末は、データの多重を表す識別子を当該送信する第２のデータに付加して、前記第１のデータに混在させて、当該無線基地局に送信し、当該無線基地局は、識別子に応じて、受け取ったデータを分離してそれぞれの端末に送り出す。このように無線基地局と移動端末間で、データに識別子を付加することで、多重データの識別ができるようになり、従来、無線基地局と移動端末間で１本の回線しか確立できなかった従来のシステムと比較して、送信元の違うデータを同時に受け取ったり、行き先の違うデータを同時に送ったりすることができるとしている。
【０００８】
【発明が解決しようとする課題】
しかしながら、ＰＢＸとＰＨＳ基地局とをイーサネットＬＡＮにより接続した場合、以下に示す不具合を生じる。
【０００９】
回線交換ベースのＩＳＤＮインターフェースに接続されたＰＨＳ基地局間では、ＰＢＸ１０から供給される同期信号をＩＳＤＮ回線により各ＰＨＳ基地局に供給することができた。これは、ＩＳＤＮの物理層インターフェースである、Ｉ．４３０で伝送速度、伝送路符号条件が規定されていたためである。しかしながら、イーサネットＬＡＮに接続されたＰＨＳ基地局間では、イーサネットＬＡＮが帯域保証されないベストエフォート回線であるため、ＰＢＸからの同期信号を各ＰＨＳ基地局に供給することができない。このため、ＴＤＭＡ方式を採用するＰＨＳでは、ＴＤＭＡフレームの干渉が生じ、無線電波の有効利用ができないという不具合が生じる。
【００１０】
また、上述したように、ＰＨＳ基地局間とＰＢＸを接続するイーサネットＬＡＮは、帯域保証されないベストエフォート回線であるため、回線の一時的輻輳によりデータパケットの遅延が発生することが想定される。このため、イーサネットＬＡＮでのデータ遅延、データ欠落によりＰＩＡＦＳの特徴である再送制御が頻発し、本来の通信速度を確保することができないという不具合を生じる。
【００１１】
本発明は上記事情に鑑みてなされたものであり、ＰＨＳ基地局間をイーサネットＬＡＮに接続することで生じる不具合を解消することができるＰＨＳ基地局間同期システム、その方法及びプログラムを提供することを目的とする。
【００１２】
【課題を解決するための手段】
係る目的を達成するために請求項１記載の発明は、構内交換装置と、複数のＰＨＳ基地局とがイーサネットＬＡＮを介して接続されたシステムであって、構内交換装置は、該構内交換装置の保守コンソールから入力される、所定のタイミングで無線電波を出力している自営用ＰＨＳ基地局を識別するための発識別符号を、複数のＰＨＳ基地局内の任意の一台に通知し、構内交換装置からの通知を受けたＰＨＳ基地局は、指定された自営用ＰＨＳ基地局から出力される制御信号を、発識別符号により検出し、受信した制御信号を基に同期信号を生成してＰＨＳ基地局グループの基準局として動作し、構内交換装置からの通知を受けたＰＨＳ基地局以外のＰＨＳ基地局は、同期信号を生成し基準局として動作するＰＨＳ基地局からの制御信号を検出し、受信した制御信号を基に同期信号を生成して、イーサネットＬＡＮに接続されたＰＨＳ基地局間で同期を取ってＰＨＳ移動端末との通信を行うとともに、構内交換装置とＰＨＳ基地局との間のデータ送受信において、送信側は、呼接続の際に設定された初期値に呼接続からの経過時間を計時した値を加算した加算値を、データの送信タイミングを示す値として送信フレームに含めて相手側に送信し、データの受信側は、イーサネットＬＡＮを介して受信した加算値と、初期値に呼接続からデータを受信するまでの経過時間を計時した値を加算した加算値とを比較することで、イーサネットＬＡＮにおけるデータ遅延を判定することを特徴とする。
【００１３】
請求項２記載の発明は、請求項１記載の発明において、構内交換装置からの通知を受けたＰＨＳ基地局は、構内交換装置により指定された自営用ＰＨＳ基地局からの制御信号を検出することができなかった場合には、公衆ＰＨＳ基地局、または構内交換装置とは異なる他の構内交換装置に接続された自営用ＰＨＳ基地局からの制御信号を検出し、受信した制御信号を基に同期信号を生成してＰＨＳ移動端末との通信を行うことを特徴とする。
【００１４】
請求項３記載の発明は、請求項１記載の発明において、構内交換装置からの通知を受けたＰＨＳ基地局は、構内交換装置により指定された自営用ＰＨＳ基地局からの制御信号を検出することができなかった場合には、構内交換装置とは異なる他の構内交換装置に接続された自営用ＰＨＳ基地局からの制御信号を検出し、受信した制御信号を基に同期信号を生成してＰＨＳ移動端末との通信を行い、構内交換装置とは異なる他の交換装置に接続された自営用ＰＨＳ基地局からの制御信号を検出することができなかった場合には、公衆ＰＨＳ基地局からの制御信号を検出し、受信した制御信号を基に同期信号を生成してＰＨＳ移動端末との通信を行うことを特徴とする。
【００１５】
請求項４記載の発明は、請求項２記載の発明において、構内交換装置からの通知を受けたＰＨＳ基地局は、公衆ＰＨＳ基地局、または構内交換装置とは異なる他の構内交換装置に接続された自営用ＰＨＳ基地局からの制御信号を検出することができなかった場合に、独自にクロック信号を生成してＰＨＳ移動端末との通信を行うことを特徴とする。
【００１６】
請求項５記載の発明は、請求項３記載の発明において、構内交換装置からの通知を受けたＰＨＳ基地局は、公衆ＰＨＳ基地局からの制御信号を検出することができなかった場合に、独自にクロック信号を生成してＰＨＳ移動端末との通信を行うことを特徴とする。
【００１７】
請求項６記載の発明は、請求項１から５の何れか１項に記載の発明において、イーサネットＬＡＮにおいてデータ遅延が発生していると判断した場合に、ＰＨＳのデータ通信プロトコルであるＰＩＡＦＳの再同期手順を起動することを特徴とする。
【００１８】
請求項７記載の発明は、構内交換装置と、複数のＰＨＳ基地局とがイーサネットＬＡＮを介して接続されたシステムでのＰＨＳ基地局間同期方法であって、構内交換装置において、該構内交換装置の保守コンソールから所定のタイミングで無線電波を出力している自営用ＰＨＳ基地局を識別するための発識別符号を入力し、該入力された発識別符号を複数のＰＨＳ基地局内の任意の一台に通知し、構内交換装置からの通知を受けたＰＨＳ基地局において、指定された自営用ＰＨＳ基地局から出力される制御信号を、発識別符号により検出し、受信した制御信号を基に同期信号を生成してＰＨＳ基地局グループの基準局として動作し、構内交換装置からの通知を受けたＰＨＳ基地局以外のＰＨＳ基地局において、同期信号を生成し基準局として動作するＰＨＳ基地局からの制御信号を検出し、受信した制御信号を基に同期信号を生成して、イーサネットＬＡＮに接続されたＰＨＳ基地局間で同期を取ってＰＨＳ移動端末との通信を行うとともに、構内交換装置とＰＨＳ基地局との間のデータ送受信において、送信側は、呼接続の際に設定された初期値に呼接続からの経過時間を計時した値を加算した加算値を、データの送信タイミングを示す値として送信フレームに含めて相手側に送信し、データの受信側は、イーサネットＬＡＮを介して受信した加算値と、初期値に呼接続からデータを受信するまでの経過時間を計時した値を加算した加算値とを比較することで、イーサネットＬＡＮにおけるデータ遅延を判定することを特徴とする。
【００１９】
請求項８記載の発明は、請求項７記載の発明において、構内交換装置からの通知を受けたＰＨＳ基地局において、構内交換装置により指定された自営用ＰＨＳ基地局からの制御信号を検出することができなかった場合には、公衆ＰＨＳ基地局、または構内交換装置とは異なる他の構内交換装置に接続された自営用ＰＨＳ基地局からの制御信号を検出し、受信した制御信号を基に同期信号を生成してＰＨＳ移動端末との通信を行うことを特徴とする。
【００２０】
請求項９記載の発明は、請求項７記載の発明において、構内交換装置からの通知を受けたＰＨＳ基地局において、構内交換装置により指定された自営用ＰＨＳ基地局からの制御信号を検出することができなかった場合には、構内交換装置とは異なる他の構内交換装置に接続された自営用ＰＨＳ基地局からの制御信号を検出し、受信した制御信号を基に同期信号を生成してＰＨＳ移動端末との通信を行い、構内交換装置とは異なる他の交換装置に接続された自営用ＰＨＳ基地局からの制御信号を検出することができなかった場合には、公衆ＰＨＳ基地局からの制御信号を検出し、受信した制御信号を基に同期信号を生成してＰＨＳ移動端末との通信を行うことを特徴とする。
【００２１】
請求項１０記載の発明は、請求項８記載の発明において、構内交換装置からの通知を受けたＰＨＳ基地局において、公衆ＰＨＳ基地局、または構内交換装置とは異なる他の構内交換装置に接続された自営用ＰＨＳ基地局からの制御信号を検出することができなかった場合に、独自にクロック信号を生成してＰＨＳ移動端末との通信を行うことを特徴とする。
【００２２】
請求項１１記載の発明は、請求項９記載の発明において、構内交換装置からの通知を受けたＰＨＳ基地局において、公衆ＰＨＳ基地局からの制御信号を検出することができなかった場合に、独自にクロック信号を生成してＰＨＳ移動端末との通信を行うことを特徴とする。
【００２３】
請求項１２記載の発明は、請求項７から１１の何れか１項に記載の発明において、イーサネットＬＡＮにおいてデータ遅延が発生していると判断した場合に、ＰＨＳのデータ通信プロトコルであるＰＩＡＦＳの再同期手順を起動することを特徴とする。
【００２４】
請求項１３記載の発明は、構内交換装置と、複数のＰＨＳ基地局とがイーサネットＬＡＮを介して接続されたシステムでのＰＨＳ基地局間同期プログラムであって、構内交換装置において、該構内交換装置の保守コンソールから所定のタイミングで無線電波を出力している自営用ＰＨＳ基地局を識別するための発識別符号を入力し、該入力された発識別符号を複数のＰＨＳ基地局内の任意の一台に通知する処理を実行し、構内交換装置からの通知を受けたＰＨＳ基地局において、指定された自営用ＰＨＳ基地局から出力される制御信号を、発識別符号により検出し、受信した制御信号を基に同期信号を生成してＰＨＳ基地局グループの基準局として動作させる処理を実行し、構内交換装置からの通知を受けたＰＨＳ基地局以外のＰＨＳ基地局において、同期信号を生成し基準局として動作するＰＨＳ基地局からの制御信号を検出し、受信した制御信号を基に同期信号を生成して、イーサネットＬＡＮに接続されたＰＨＳ基地局間で同期を取ってＰＨＳ移動端末との通信を行う処理を実行するとともに、構内交換装置とＰＨＳ基地局との間のデータ送信において、送信側は、呼接続の際に設定された初期値に呼接続からの経過時間を計時した値を加算した加算値を、データの送信タイミングを示す値として送信フレームに含めて相手側に送信する処理を実行し、データの受信側は、イーサネットＬＡＮを介して受信した加算値と、初期値に呼接続からデータを受信するまでの経過時間を計時した値を加算した加算値とを比較することで、イーサネットＬＡＮにおけるデータ遅延を判定する処理を実行することを特徴とする。
【００２５】
請求項１４記載の発明は、請求項１３記載の発明において、構内交換装置からの通知を受けたＰＨＳ基地局において、構内交換装置により指定された自営用ＰＨＳ基地局からの制御信号を検出することができなかった場合には、公衆ＰＨＳ基地局、または構内交換装置とは異なる他の構内交換装置に接続された自営用ＰＨＳ基地局からの制御信号を検出し、受信した制御信号を基に同期信号を生成してＰＨＳ移動端末との通信を行う処理を実行することを特徴とする。
【００２６】
請求項１５記載の発明は、請求項１３記載の発明において、構内交換装置からの通知を受けたＰＨＳ基地局において、構内交換装置により指定された自営用ＰＨＳ基地局からの制御信号を検出することができなかった場合には、構内交換装置とは異なる他の構内交換装置に接続された自営用ＰＨＳ基地局からの制御信号を検出し、受信した制御信号を基に同期信号を生成してＰＨＳ移動端末との通信を行う処理を実行し、構内交換装置とは異なる他の交換装置に接続された自営用ＰＨＳ基地局からの制御信号を検出することができなかった場合には、公衆ＰＨＳ基地局からの制御信号を検出し、受信した制御信号を基に同期信号を生成してＰＨＳ移動端末との通信を行う処理を実行することを特徴とする。
【００２７】
請求項１６記載の発明は、請求項１４記載の発明において、構内交換装置からの通知を受けたＰＨＳ基地局において、公衆ＰＨＳ基地局、または構内交換装置とは異なる他の構内交換装置に接続された自営用ＰＨＳ基地局からの制御信号を検出することができなかった場合に、独自にクロック信号を生成してＰＨＳ移動端末との通信を行う処理を実行することを特徴とする。
【００２８】
請求項１７記載の発明は、請求項１５記載の発明において、構内交換装置からの通知を受けたＰＨＳ基地局において、公衆ＰＨＳ基地局からの制御信号を検出することができなかった場合に、独自にクロック信号を生成してＰＨＳ移動端末との通信を行う処理を実行することを特徴とする。
【００２９】
請求項１８記載の発明は、請求項１３から１７の何れか一項に記載の発明において、イーサネットＬＡＮにおいてデータ遅延が発生していると判断した場合に、ＰＨＳのデータ通信プロトコルであるＰＩＡＦＳの再同期手順を起動する処理を実行することを特徴とする。
【００４２】
【発明の実施の形態】
次に、添付図面を参照しながら本発明のＰＨＳ基地局間同期システム、その方法及びプログラムに係る実施の形態を詳細に説明する。図１から図８を参照すると本発明のＰＨＳ基地局間同期システム、その方法及びプログラムに係る実施の形態が示されている。
【００４３】
図１に示されるように本実施形態は、構内交換機（以下、ＰＢＸという）１０と、ＰＨＳ基地局２０（本実施形態では、２０Ａ、２０Ｂ、２０Ｃの３台が接続が接続されているが、これに限定されるものではない）がイーサネットＬＡＮ（Ａ）に接続されている。また、このシステム内には、ＰＨＳ基地局２０と通信を行うＰＨＳ移動端末（以下、ＰＳという）３０（本実施形態では、ＰＨＳ基地局２０Ａ、２０Ｂ、２０ＣにＰＨＳ移動端末３０Ａ、３０Ｂ、３０Ｃがそれぞれ接続されているが接続形態はこれに限定されるものではない）が存在し、ＰＳ３０にはパソコン３１、３２、３３が接続されている。さらに、ＰＢＸ１０の回線交換ベースのＩＳＤＮインターフェースには、ＰＰＰ（Ｐｏｉｎｔ−ｔｏ−Ｐｏｉｎｔ  Ｐｒｏｔｏｃｏｌ）プロトコルを具備したダイヤルアップルータ３４が接続され、回線交換ベースの端末（本実施形態では、ＰＨＳ移動端末３０）とイーサネットＬＡＮ（Ｂ）に接続されるサーバ３５との接続を中継する。
【００４４】
次に、図２を参照しながらＰＢＸ１０のＰＨＳ信号変換部１００について説明する。
ＰＨＳ信号変換部１００は、ＲＣＲ  ＳＴＤ−２８（Ｐｅｒｓｏｎａｌ  Ｈａｎｄｙ  Ｐｈｏｎｅ  Ｓｙｓｔｅｍ  ＲＣＲ  Ｓｔａｎｄａｒｄ）で規定される呼制御（ＣＣ：Ｃａｌｌ  Ｃｏｎｔｒｏｌ）、移動管理（ＭＭ：Ｍｏｂｉｌｉｔｙ  Ｍａｎａｇｅｍｅｎｔ）、無線管理（ＲＴ：Ｒａｄｉｏ  Ｔｒａｎｓｍｉｓｓｉｏｎ）の各制御情報と、音声、ＰＩＡＦＳ（ＰＨＳ  Ｉｎｔｅｒｎｅｔ  Ａｃｃｅｓｓ  Ｆｏｒｕｍ  Ｓｔａｎｄａｒｄ）データなどの通信情報を中継する役割を果たす。
【００４５】
ＰＨＳ信号変換部１００は、ＬＡＮインターフェース部１２０を介してイーサネットＬＡＮに接続され、内部バスインターフェース部１１０を介してＰＢＸ１０の内部バスに接続される。内部バスからＰＨＳ基地局２０方向に転送される信号の処理には、受信処理部１１３、信号判定部１１４、ＰＩＡＦＳ処理部１１６、音声処理部１１７、呼制御処理部１１８、ＵＤＰ（Ｕｓｅｒ  Ｄａｔａｇｒａｍ  ｐｒｏｔｏｃｏｌ）処理部１１５、バッファ１１９が設けられている。また、ＰＨＳ基地局２０から内部バス方向に転送される信号の処理には、バッファ１０９、ＵＤＰ処理部１０５、信号判定部１０４、ＰＩＡＦＳ処理部１０６、音声処理部１０７、呼制御処理部１０８、送信処理部１０３が設けられている。
【００４６】
イーサネットＬＡＮは、帯域保証されないベストエフォート回線であり、回線の一時的な輻輳によりデータパケットの遅延が発生することが想定される。そこで、この遅延を吸収するバッファ１０９、１１９を送受信双方に準備する。一般的な６４ｋｂｐｓ帯域（Ｇ．７１１コーディック）を採用し、２０ｍｓごとに信号を処理した場合、１データパケットは１６０バイトになることから、１６０×ｎのバッファサイズを準備する必要がある。
【００４７】
ＵＤＰ処理部１０５は、ＰＨＳ基地局２０で付加されたヘッダ部を削除し、信号判定部１０４に出力する。また、ＵＤＰ処理部１１５は、呼制御処理部１１８で処理された制御情報には、相手ＩＰアドレスを指定したＵＤＰヘッダを付加してバッファ１１９を介してＬＡＮインターフェース部１２０に出力する。また、ＵＤＰ処理部１１５は、音声処理部１１７で処理された音声情報、及びＰＩＡＦＳ処理部１１６で処理されたＰＩＡＦＳデータに関しては、ＴＴＣ（Ｔｈｅ  Ｔｅｌｅｃｏｍｍｕｎｉｃａｔｉｏｎ  Ｔｅｃｈｎｏｌｏｇｙ  Ｃｏｍｍｉｔｔｅｅ）標準ＪＴ−Ｈ．２２５．０のＲＴＰ（Ｒｅａｌ−Ｔｉｍｅ  Ｔｒａｎｓｐｏｒｔ  Ｐｒｏｔｏｃｏｌ）手順に従ったヘッダを付加して出力する。
【００４８】
信号判定部１０４は、ＰＨＳ基地局２０から受信した信号から、ＰＨＳ用の制御信号｛ＳＡＣＣＨ（Ｓｌｏｗ  Ａｓｓｏｃｉａｔｅｄ  Ｃｏｎｔｒｏｌ  Ｃｈａｎｎｅｌ）／ＦＡＣＣＨ（Ｆａｓｔ  Ａｓｓｏｃｉａｔｅｄ  ＣｏｎｔｒｏｌＣｈａｎｎｅｌ）｝か、通信用信号｛ＴＣＨ（Ｔｒａｆｆｉｃ  Ｃｈａｎｎｅｌ）｝かを判定し、ＰＨＳ用の制御信号であった場合には、制御信号（ＳＡＣＣＨ／ＦＡＣＣＨ）の呼設定（ＳＥＴＵＰ）メッセージから通信を開始する「伝達能力」を確認し、該当呼が音声かＰＩＡＦＳデータかを判定する。この判定に従ってＰＩＡＦＳデータをＰＩＡＦＳ処理部１０６に、音声データを音声処理部１０７に、制御情報を呼制御処理部１０８に出力する。また、信号判定部１１４は、内部バスインターフェース１１０を介して受信処理部１１３で受信した信号から、ＰＨＳ用の制御信号か、通信用信号（ＴＣＨ）かを判定し、ＰＨＳ用の制御信号であった場合には、制御信号（ＳＡＣＣＨ／ＦＡＣＣＨ）の呼設定（ＳＥＴＵＰ）メッセージから通信を開始する「伝達能力」を確認し、該当呼が音声かＰＩＡＦＳデータかを判定する。この判定に従ってＰＩＡＦＳデータをＰＩＡＦＳ処理部１１６に、音声データを音声処理部１１７に、制御情報を呼制御処理部１１８に出力する。
【００４９】
同期生成部１２１は、ＰＢＸ１０の内部バスから供給されるクロック信号を基に、５ｍｓの同期信号を生成し、ＰＩＡＦＳ処理部１０６、１１６、及び遅延を吸収するバッファ１０９、１１９に供給する。
【００５０】
次に、図３を参照しながらＰＨＳ基地局の構成について説明する。
ＰＨＳ基地局２０は、ＲＣＲ  ＳＴＤ−２８で規定される呼制御（ＣＣ）、移動管理（ＭＭ）、無線管理（ＲＴ）各制御情報と、音声、ＰＩＡＦＳ（ＰＨＳ  Ｉｎｔｅｒｎｅｔ  Ａｃｃｅｓｓ  Ｆｏｒｕｍ  Ｓｔａｎｄａｒｄ）データなどの通信情報を中継する役割を果たす。
【００５１】
ＰＨＳ基地局２０は、ＬＡＮインターフェース部２２０を介してイーサネットＬＡＮ（Ａ）に接続されている。また、アンテナ２１０を介してＰＨＳ移動端末３０との情報の送受信を行う。イーサネットＬＡＮ（Ａ）を介してＬＡＮインターフェース部２２０により受信した信号は、バッファ２０９に一時的に蓄積され、ＵＤＰ処理部２０５、信号判定部２０４、ＰＩＡＦＳ処理部２０６、音声処理部２０７、呼制御処理部２０８によって処理が施され、送信処理部２０３よりＰＨＳ移動端末３０に送信される。また、ＰＨＳ移動端末３０から送信された信号を、受信処理部２１３で受信し、信号判定部２１４、ＰＩＡＦＳ処理部２１６、音声処理部２１７、呼制御処理部２１８、ＵＤＰ理部２１５によって処理が施される。その後、バッファ２１９に一時的に蓄積されＬＡＮインターフェース部２２０によりイーサネットＬＡＮ（Ａ）に出力される。
【００５２】
上述したように、イーサネットＬＡＮは、帯域保証されないベストエフォート回線であり、回線の一時的な輻輳によりデータパケットの遅延が発生することが想定されるので、バッファ２０９、２１９を送受信双方に準備する。
【００５３】
ＵＤＰ処理部２０５は、ＰＢＸ１０で付加されたヘッダ部を削除し、信号判定部２０４に出力する。また、ＵＤＰ処理部２１５は、呼制御処理部２１８で処理された制御情報には、相手ＩＰアドレスを指定したＵＤＰヘッダを付加してバッファ２１９に一時蓄積し、その後ＬＡＮインターフェース部２２０に出力する。また、ＵＤＰ処理部２１５は、音声処理部２１７で処理された音声情報、及びＰＩＡＦＳ処理部２１６で処理されたＰＩＡＦＳデータに関しては、ＴＴＣ標準ＪＴ−Ｈ．２２５．０のＲＴＰ手順に従ったヘッダを付加して出力する。
【００５４】
信号判定部２０４は、受信した信号から、ＰＨＳ用の制御信号（ＳＡＣＣＨ／ＦＡＣＣＨ）か、通信用信号（ＴＣＨ）かを判定し、ＰＨＳ用の制御信号であった場合には、制御信号（ＳＡＣＣＨ／ＦＡＣＣＨ）の呼設定（ＳＥＴＵＰ）メッセージから通信を開始する「伝達能力」を確認し、該当呼が音声かＰＩＡＦＳデータかを判定する。この判定に従ってＰＩＡＦＳデータをＰＩＡＦＳ処理部２０６に、音声データを音声処理部２０７に、制御情報を呼制御処理部２０８に出力する。また、信号判定部２１４は、ＰＨＳ移動端末３０から無線回線を介して送信され、受信処理部２１３で受信した信号から、ＰＨＳ用の制御信号（ＳＡＣＣＨ／ＦＡＣＣＨ）か、通信用信号（ＴＣＨ）かを判定し、ＰＨＳ用の制御信号であった場合には、制御信号（ＳＡＣＣＨ／ＦＡＣＣＨ）の呼設定（ＳＥＴＵＰ）メッセージから通信を開始する「伝達能力」を確認し、該当呼が音声かＰＩＡＦＳデータかを判定する。この判定に従ってＰＩＡＦＳデータをＰＩＡＦＳ処理部２１６に、音声データを音声処理部２１７に、制御情報を呼制御処理部２１８に出力する。
【００５５】
上記構成からなる本実施形態は、図１に示されるように、イーサネットＬＡＮに接続されたＰＨＳ基地局間で同期を取ることにより、ＴＤＭＡフレームの干渉を回避することを目的とする。
【００５６】
回線交換ベースのＩＳＤＮインターフェースに接続されたＰＨＳ基地局間では、ＰＢＸ１０から供給される同期信号をＩＳＤＮ回線により各ＰＨＳ基地局２０に供給することができた。これは、ＩＳＤＮの物理層インターフェースである、Ｉ．４３０で伝送速度、伝送路符号条件が規定されていたためである。
【００５７】
しかしながら、イーサネットＬＡＮに接続されたＰＨＳ基地局間では、イーサネットＬＡＮが帯域保証されないベストエフォート回線であるため、ＰＢＸ１０からの同期信号を各ＰＨＳ基地局に供給することができない。
【００５８】
このため本実施形態は、ＰＢＸ１０の保守コンソールから、予め動作の判明している（所定のタイミングで無線電波を出力している）他の自営用ＰＨＳシステムの「発識別符号（４２ビット）」を入力し、このＰＢＸ１０とイーサネットＬＡＮに接続されたＰＨＳ基地局グループ内の任意のＰＨＳ基地局２０（ここでは、図１に示されたＰＨＳ基地局２０Ａに通知されたものとする）。なお、「発識別符号」とは当該基地局の出力する無線電波を識別することができる識別情報である。
【００５９】
この通知を受けたＰＨＳ基地局２０Ａは、発識別符号により指定された自営用ＰＨＳシステムの基地局から出力される制御信号（ＬＣＣＨ信号）を検出してこの制御信号に同期した同期信号を生成し、ＰＨＳ基地局グループの基準局として動作する。
【００６０】
また、ＰＢＸ１０から指定された自営用ＰＨＳシステムからの制御信号を検出することができなかった場合には、ＰＢＸ１０からの通知を受けたＰＨＳ基地局２０Ａ（以下、基準基地局という）が近隣で動作している他の自営用ＰＨＳシステム（基準基地局２０Ａが接続されたＰＢＸ１０とは異なる他のＰＢＸに接続された自営用ＰＨＳ基地局）、または他の公衆用ＰＨＳ基地局（基準基地局２０Ａが接続されたＰＢＸ１０とは異なる他のＰＢＸに接続された公衆ＰＨＳ基地局）からの制御信号を検出し、この制御信号に同期した同期信号を生成する。
【００６１】
また、他の自営用ＰＨＳシステム、または他の公衆用ＰＨＳ基地局からの制御信号を検出することができなかった場合には、基準基地局２０Ａが独自に同期信号を生成する。なお、ＰＢＸ１０からの通知を受けなかった、該ＰＢＸ１０とイーサネットＬＡＮで接続された同一グループ内の他のＰＨＳ基地局（図１に示されたＰＨＳ基地局２０Ｂ、２０Ｃ）は、基準基地局２０Ａから出力される無線電波を検出して、この基準基地局２０Ａに同期する。なお、ＰＢＸ１０から通知される「発識別符号」は、基準基地局２０Ａに対しては、自営用ＰＨＳシステムを識別するための発識別符号の他に、自ＰＨＳ基地局２０Ａの「発識別符号」が通知され、この基準基地局２０Ａと同一グループ内の他のＰＨＳ基地局（図１に示されたＰＨＳ基地局２０Ｂ、２０Ｃ）に対しては、自ＰＨＳ基地局の「発識別符号」だけが通知される。同一グループ内の他のＰＨＳ基地局（２０Ｂ、２０Ｃ）は、ＰＢＸ１０より通知されたこの「発識別符号」により同一グループ内のＰＨＳ基地局が出力する無線電波を検出することが可能となる。
【００６２】
また、上述したように、ＰＨＳ基地局間とＰＢＸ１０を接続するイーサネットＬＡＮは、帯域保証されないベストエフォート回線であるため、回線の一時的輻輳によりデータパケットの遅延が発生することが想定される。このため、通信速度の低下という不具合を生じる。
【００６３】
図４には、ＰＨＳ基地局２０のＵＤＰ処理部２１５、及びＰＢＸのＵＤＰ処理部１１５でＰＩＡＦＳデータ、及び音声データに付加される、ＴＴＣ標準ＪＴ−Ｈ．２２５．０のＲＴＰ手順に従ったヘッダ部の構成が示されている。図４に示されるように、このヘッダ部には、データ送信時の時刻を通知するためのタイムスタンプ情報が含まれている。ＰＢＸ１０及びＰＨＳ基地局２０は、このヘッダ部のタイムスタンプ領域に、呼設定時の初期値に２０ｍｓの値を加算させた値をデータ送信毎に書き込み、送信する。受信側は、相手側から送信されたタイムスタンプ値と、データ受信時のタイムスタンプ値とを比較し、この値が所定の閾値よりも離れていた場合には、イーサネットＬＡＮにおいて遅延が生じたと判断し、ＰＩＡＦＳの再同期手順を起動する。なお、図５には、呼接続時の処理シーケンスが示されている。図５に示されるようにＰＣ３１から発信操作が行われると、ＳＥＴＵＰメッセージがルータ３４に通知され、ルータ３４からは要求された呼設定を開始したことを示すＣＡＬＬ  ＰＲＯＣ（ＥＥＤＩＮＧ）信号がＰＨＳ移動端末３０に通知され、次に呼を受け付けたことを示すＣＯＮＮ（ＥＣＴ）信号がＰＨＳ移動端末３０に通知される。このＣＯＮＮ信号を受信したＰＨＳ基地局２０は、ＰＩＡＦＳデータの送信要求をＰＨＳ移動端末３０に送信し、要求を受けたＰＨＳ移動端末３０からＰＩＡＦＳデータを送信することでデータ通信が開始される。ＰＩＡＦＳの再同期シーケンスとは、ＣＯＮＮ信号を受信したＰＨＳ基地局２０が、ＰＩＡＦＳデータの送信要求をＰＨＳ移動端末３０に送信し、ＰＣ３４からサーバ３５へＰＩＡＦＳデータが送信される手順である。
【００６４】
このようにして本実施形態は、遅延が発生しうる回線においてＰＩＡＦＳデータ通信を行っても、同期の確立が可能で、遅延による通信速度の低下に対しても自立的にＰＩＡＦＳの再同期手順を起動することで、遅延を回避させることができる。
【００６５】
次に、図６に示されたフローチャートを参照しながらＰＢＸ１０から指示を受けた基準基地局の動作手順を説明する。
まず、ＰＢＸ１０は、ＰＢＸ１０の保守コンソールから、予め動作が判明している（所定のタイミングで無線電波を出力している）自営用ＰＨＳシステムの「発識別符号（４２ビット）」を入力し、このＰＢＸ１０とイーサネットＬＡＮで接続された基地局グループの任意の一台に通知する。発識別符号とは、該当基地局の発信する無線電波を検出することができる情報である。また、指定される自営用ＰＨＳシステムは、ＰＢＸ１０とは異なるＰＢＸに接続されたシステムであるものとする。
【００６６】
ＰＢＸ１０より発識別符号の通知を受けたＰＨＳ基地局（説明の便宜のため、図１に示されたＰＨＳ基地局２０Ａとする）は（ステップＳ１／ＹＥＳ）、ＰＢＸ１０より指定されたＰＨＳ基地局から出力される無線制御信号（ＬＣＣＨ：Ｌｏｇｉｃａｌ  Ｃｏｎｔｒｏｌ  Ｃｈａｎｎｅｌ）を通知された発識別符号により検出する（ステップＳ２／ＹＥＳ）。検出した無線制御信号を入力して、この無線制御信号に同期した５ｍｓの同期信号をＴＤＭＡ同期抽出部２２１で生成する（ステップＳ３）。
【００６７】
また、ＰＢＸ１０から指示された自営用ＰＨＳシステムのＰＨＳ基地局から無線制御信号を受信することができなかった場合には（ステップＳ２／ＮＯ）、ＰＨＳ基地局２０Ａは、近隣で運用されている自営用ＰＨＳシステムのＰＨＳ基地局からの無線制御信号（ＬＣＣＨ信号）を検出する（ステップＳ４）。検出した自営用ＰＨＳシステムの基地局から無線制御信号を受信して（ステップＳ５／ＹＥＳ）、ＴＤＭＡ同期抽出部２２１でこの無線制御信号に同期した５ｍｓの同期信号を生成する（ステップＳ６）。なお、検出対象となる自営用ＰＨＳシステムの基地局は、ＰＨＳ基地局２０Ａとは異なるＰＢＸに接続された基地局である。
【００６８】
さらに、近隣で運用されている自営用ＰＨＳシステムの基地局からの無線制御信号を検出することができなかった場合には（ステップＳ５／ＮＯ）、ＰＨＳ基地局２０Ａは、近隣の公衆ＰＨＳ基地局からの無線制御信号（ＬＣＣＨ信号）を検出する。検出した公衆ＰＨＳ基地局からの無線制御信号を受信して（ステップＳ８／ＹＥＳ）、ＴＤＭＡ同期抽出部２２１でこの無線制御信号に同期した５ｍｓの同期信号を生成する（ステップＳ９）。なお、検出する公衆ＰＨＳ基地局は、基準基地局が接続されたＰＢＸ１０とは異なるＰＢＸに接続されたＰＨＳ基地局であるものとする。
【００６９】
また、自営用ＰＨＳシステム、または公衆ＰＨＳ基地局からの無線制御信号を検出することができなかった場合は（ステップＳ８／ＮＯ）、基準基地局のＴＤＭＡ同期抽出部２２１が独自に５ｍｓの同期信号を生成し、同一基地局グループ内の基準基地局として動作する（ステップＳ１０）。
【００７０】
生成した同期信号は、ＰＬＬ基準信号の他に、ＰＩＡＦＳ信号処理２０６、２１６、及び遅延を吸収するバッファ２０９、２１９に供給される。ＰＩＡＦＳ処理部２０６、２１６では、供給された同期信号を基にＰＩＡＦＳデータを次段の回路に出力する。また、バッファ２０９、２１９に供給された同期信号は、これらのバッファ２０９、２１９からデータを取り出す際の基準信号に使用される。ＰＨＳ基地局２０とＰＢＸ１０とがイーサネットＬＡＮに接続されたシステムにおいてＰＩＡＦＳデータ通信を行う場合、非同期回線であるイーサネットＬＡＮを通過する際に、データ遅延、データ欠落を生じ、ＰＩＡＦＳの特徴である再送制御が頻発する。従って、本来の通信速度を確保することができないという不具合を生じる。そこで、生成した５ｍｓの同期信号に基づきＰＩＡＦＳデータの送信、及びバッファからのデータの取り出しを行うことで、非同期イーサネットＬＡＮを通過する際のデータ遅延、データ欠落による再送制御を最小限に抑えることができる。
【００７１】
また、基準基地局以外の、同一ＰＢＸ１０に接続された他のＰＨＳ基地局は、ＰＢＸ１０から通知される自ＰＨＳ基地局の発識別符号により、基準基地局から出力される無線電波を検出し、この無線電波に同期する。
【００７２】
ここで、図７に示されたＰＨＳフレーム構成図を参照しながらより詳細に説明する。
ＰＨＳのフレーム構造は、６２５μｓのフレームを８多重した５ｍｓのフレームからなり、図７に示されるように各々４スロットずつを送受信に割り当て４多重の通信を可能としている。通常、４スロットのうちの１スロットを制御用に割り当て、一定間隔で必要情報を送信し、ＰＨＳ基地局２０配下のＰＨＳ移動端末３０を制御する。
【００７３】
具体的には、図７に示すように、下り第１スロットを制御用スロットに割り当て５ｍｓ×ｎ（ｎ＝ＬＣＣＨのインターバル周期）の間隔で制御信号を送信する。例えばｎを３０とすると、ＰＨＳ基地局３０からは１５０ｍｓ毎に制御信号（図７の黒塗りスロット）が送信される。制御用に割り当てられたスロットの２．５ｍｓ後のスロット（５ｍｓフレームの後半４スロット）は、当該ＰＨＳ基地局２０からの情報を受信したＰＨＳ移動端末３０からの情報を受信する受信用スロットに使用される。１つのＰＨＳ基地局２０と、このＰＨＳ基地局配下のＰＨＳ移動端末３０とのデータ送受信には、この送受信４スロットずつが使用され、次のデータ送受信には、図７に示された実施例では、１４５ｍｓ（５×２９ｍｓ）後のスロットまで待たなければならない。
【００７４】
基準基地局は、配下のＰＨＳ移動端末とデータの送受信を行っていない１４５ｍｓのインターバル区間に、ＰＢＸ１０から指定されたＰＨＳ基地局の出力する制御信号を検出し、当該指定基地局の制御信号を１４５ｍｓのインターバル周期毎に受信することで、５ｍｓの同期信号を生成する。
【００７５】
また、基準基地局と同一グループ内の他のＰＨＳ基地局２０は、基準基地局から出力される図７の下り第１スロットの制御信号を検出し、基準基地局から１５０ｍｓ毎に出力されるこの制御信号を１５０ｍｓ毎に受信して、基準基地局に同期する。すなわち、この他のＰＨＳ基地局は、図７に示された１４５ｍｓ区間の何れかの８スロットを使用して配下のＰＨＳ移動端末とのデータ送受信を行う。
【００７６】
次に、ＰＨＳ移動端末３０Ａに接続されたＰＣ３１より、ルータ３４を介してサーバ３５とデータの送受信する際の動作手順について図８に示されたフローチャートを参照しながら説明する。
【００７７】
図５に接続時の処理シーケンスを示すが、ＰＨＳ基地局２０ＡはＰＨＳ移動端末３０ＡからのＳＥＴＵＰメッセージを受信すると、信号判定部２１４により呼制御信号と判定し呼制御処理部２１８に通知する。さらにＳＥＴＵＰメッセージ内の伝達能力がＰＩＡＦＳデータ通信時は「非制限データ」と示されていることから、図５「※１」で示される呼接続処理終了後は、図５「※２」で示される通りデータ呼であると判断し、呼接続完了後のデータはＰＩＡＦＳ処理部１０６、１１６及び２０６、２１６に通知する。具体的には、受信したビット列からＰＩＡＦＳの標準規格であるＡＲＩＢ  ＳＴＤ−Ｔ７６で規定される、同期フレーム内のＳＹＮＣパターン（３２ビット）をサーチし、検出後は６４０ｂｉｔ単位でＰＩＡＦＳデータが送出されるものとして処理を継続する。
【００７８】
ＰＨＳの１スロットで通知される情報は１６０ビットであることから、（６４０ビット／１６０ビット）×５ｍＳ＝２０ｍＳのデータをＰＡＩＦＳ処理部２１６で蓄積し、１ＰＩＡＦＳパケットを生成する。受信時は、受信バッファ１０９及び２０９に蓄積されるデータを同期信号に基づき１ＰＩＡＦＳパケット単位である２０ｍＳ毎に取り出し処理を行うことで、送受信の同期を図る。
【００７９】
しかしながら、ＰＨＳ基地局２０とＰＢＸ１０とは、図１に示されるように、イーサネットＬＡＮに接続されているためイーサネットＬＡＮにおける遅延を考慮する必要がある。そこで、ＴＴＣ標準ＪＴ−Ｈ．２２５．０のＲＴＰデータ転送プロトコル手順に従い、ＵＤＰ処理部１１５でＰＩＡＦＳデータにＲＴＰヘッダを付加するが、図４で示すヘッダ部で定義されるタイムスタンプ（３２ビット）領域の各フレームに２０ｍＳ経過したことを示す時刻を挿入する。このタイムスタンプ情報により受信側の到着ジッタ測定のための判定基準とする。
【００８０】
具体的にＰＨＳ基地局２０側で判断する場合、呼設定開始時に初期設定された「タイムスタンプ」情報に、データ送信毎に２０ｍＳ増加させた値をＰＢＸ１０向けＰＩＡＦＳ処理部２１６で設定するが（ステップＳ２１）、ＰＩＡＦＳ処理部２１６で設定したタイムスタンプ値と、ＰＢＸ１０から受信するＰＩＡＦＳ処理部２０６で確認するタイムスタンプ値とを比較し（ステップＳ２２）これらの値の差が所定の閾値よりもずれた場合（ステップＳ２３／ＮＯ）、イーサネットＬＡＮで遅延が発生したと判断する。さらに送受の遅延が増大するとＰＩＡＦＳの再送制御処理が開始されるため再同期シーケンスをＰＨＳ基地局側ＰＩＡＦＳ処理部２０６、２１６とＰＢＸ側ＰＩＡＦＳ処理部１０６、１１６との間で起動し、通信速度低下を回避する（ステップＳ２５）。
【００８１】
同様にＰＢＸ１０側で判断する場合、ＰＨＳ基地局２０向けＰＩＡＦＳ処理部１１６で設定するタイムスタンプ値と、基地局から受信するＰＩＡＦＳ処理部１０６で確認するタイムスタンプ値のずれを判定し、ＰＩＡＦＳの再同期手順を起動する。なお、遅延の閾値については使用するアプリケーションにより異なることから、ＰＢＸ側保守端末により変更可能とする。
【００８２】
このように本実施形態は、基準基地局が近隣のＰＨＳ基地局の制御信号を受信して同期を確立するため、非同期回線であるイーサネットＬＡＮに接続するＰＨＳ基地局間において、ＴＤＭＡスロットの同期を確立することができる。
【００８３】
また、タイムスタンプ情報をメッセージのヘッダ部に付加し、送受信データのタイムスタンプ値を比較することで、送受信データの遅延を検出することが可能となり、データ伝送において遅延が発生しうる回線において遅延が生じたとしても、自立的に再同期確立手順を起動することで、この遅延を回避させることができる。
【００８４】
なお、上述した実施形態は本発明の好適な実施の形態である。ただし、これに限定されるものではなく、本発明の要旨を逸脱しない範囲内において種々変形実施が可能である。例えば、上述した実施形態では送信時刻を示すタイムスタンプ値を用いてイーサネットＬＡＮで発生する遅延を判断していたが、ＰＢＸ１０とＰＨＳ基地局２０とで共通にカウントアップするカウンタのカウントアップ値であってもよい。また、上述した実施形態では、制御信号の送信間隔として１５０ｍｓ、１ＰＩＡＦＳパケットデータのサイズとして２０ｍｓ、タイムスタンプ値として３２ビット、発識別符号として４２ビット等の数値を挙げて説明を行ったが、本発明はこれらに限定されるものではない。また、上述した実施形態では、ＰＢＸ１０から指示された自営用ＰＨＳ基地局の制御信号を検出することができなかった場合には、他の自営用ＰＨＳシステムの基地局を検出し、その後で公衆ＰＨＳ基地局を検出している。しかしながら、このＰＨＳ基地局を検出する順序は、これに限定されるものではなく、例えば、公衆ＰＨＳ基地局または自営用ＰＨＳ基地局の何れかから出力される制御信号を検出して、これに同期するものであってもよい。また、本発明のＰＨＳ基地局間同期プログラムに係る実施形態は、図２、３に示されたＰＢＸ１０、ＰＨＳ基地局２０に、図６、及び図８に示す手順で制御を行うプログラムを格納し、ＰＢＸ１０とＰＨＳ基地局２０とがこのプログラムに従って制御を行うことで実現できる。
【００８５】
【発明の効果】
以上の説明より明らかなように本発明は、構内交換装置からの指示を受けたＰＨＳ基地局が近隣のＰＨＳ基地局の制御信号を受信して同期を確立するため、非同期回線であるイーサネットＬＡＮに接続するＰＨＳ基地局間において、ＴＤＭＡスロットの同期を確立することができる。
【００８６】
また、構内交換装置とＰＨＳ基地局間でのデータ送受信において、送信側で、送信時にデータの送信時刻を示す値を、イーサネットＬＡＮを介してデータと共に送信し、受信側は、送信側から送信された送信時刻を示す値と、このデータの実際の受信時刻とを比較することでイーサネットＬＡＮにおける遅延を検出することが可能となり、データ伝送において遅延が発生しうる回線において遅延が生じたとしても、自立的に再同期確立手順を起動することで、この遅延を回避させることができる。
【図面の簡単な説明】
【図１】本発明に係る実施形態のシステム構成を示す図である。
【図２】ＰＢＸ１０のＰＨＳ信号変換部１００の構成を示すブロック図である。
【図３】ＰＨＳ基地局の構成を示す図である。
【図４】ＰＨＳのフレーム構成を示す図である。
【図５】呼接続の手順を示すシーケンス図である。
【図６】基準基地局の動作手順を示すフローチャートである。
【図７】ＰＨＳのフレーム構成を表す図である。
【図８】イーサネットＬＡＮによって生じる遅延を測定するための手順を示すフローチャートである。
【符号の説明】
１０  ＰＢＸ
２０  ＰＨＳ基地局
３０  ＰＨＳ移動端末
３１、３２、３３  ＰＣ
３４  ルータ
３５  サーバ
【図１】
0004025577.tif 000002
【図２】
0004025577.tif 000003
【図３】
0004025577.tif 000004
【図４】
0004025577.tif 000005
【図５】
0004025577.tif 000006
【図６】
0004025577.tif 000007
【図７】
0004025577.tif 000008
【図８】
0004025577.tif 000009